(57)【要約】【課題】  護岸用大型ブロック等においてその敷設時の連結が確実にできるブロック連結具を提供する。【解決手段】  敷設時に互いに隣接するブロック本体２の側壁に突出した締結端部７ａどうしの重合部に挿通するブロック連結具２６であって、頭部２６ａと上記重合部に挿通する軸部２６ｂからなるほぼＴ形状をなし、軸部２６ｂに上記重合部のいずれかの締結端部７ａに係止しうる係止突起２６ｃを突設してなる。【選択図】  図５
2005240550.tif 000002
【特許請求の範囲】
【請求項１】
敷設時に互いに隣接するブロック本体（２）の側壁に突出した締結端部（７ａ）どうしの重合部に挿通するブロック連結具であって、頭部（２６ａ）と上記重合部に挿通する軸部（２６ｂ）からなるほぼＴ形状をなし、軸部（２６ｂ）に上記重合部のいずれかの締結端部（７ａ）に係止しうる係止突起（２６ｃ）を突設してなることを特徴とするブロック連結具。
【発明の詳細な説明】
【技術分野】
【０００１】  本発明は、ブロック連結具に関するものであり、詳しくは、敷設時に隣接する護岸用大型ブロック等を連結するブロック連結具に関するものである。
【背景技術】
【０００２】  従来、方形板状の護岸用ブロック等においては、ブロックに所定形状の締結用鉄筋を配筋し、その各締結端部をブロックの各隅部側壁から突出させて敷設時の互いに隣接するブロックの連結用となしており、このブロックの連結は、隣接するブロックの各締結端部を集合させて捩じったり、吊杆状をなす締結端部どうしの重合部をボルト・ナットの螺合により締結するブロック連結具や、前記重合部にその棒状軸部を挿通するＬ形、Ｕ形等をなす屈曲状のブロック連結具等により行われていた。
【発明の開示】
【発明が解決しようとする課題】
【０００３】  しかしながら、上記締結端部どうしの連結に際して使用される従来のブロック連結具、特に連結作業を簡素化してなる締結端部どうしの重合部にその棒状軸部を挿通する屈曲状のブロック連結具にあっては、かかる軸部が単なる真直ぐな棒状であるために、施工作業中等に何らかの外力が加わったり、その頭部に何かを引掛けたりすると、上記重合部から容易に浮き上がったり、抜けたりしやすく、締結端部どうしを確実且つ安定して連結しがたい問題点があった。
本発明は、かかる従来の問題点に鑑みてなされたものであって、護岸用大型ブロック等においてその敷設時の連結が確実にできるブロック連結具を提供することを課題とする。
【課題を解決するための手段】
【０００４】  上記課題を解決するために、本発明のブロック連結具は、敷設時に互いに隣接するブロック本体２の側壁に突出した締結端部７ａどうしの重合部に挿通するブロック連結具であって、頭部２６ａと上記重合部に挿通する軸部２６ｂからなるほぼＴ形状をなし、軸部２６ｂに上記重合部のいずれかの締結端部７ａに係止しうる係止突起２６ｃを突設してなることを特徴とする。
【発明の効果】
【０００５】  本発明のブロック連結具は、隣接するブロック本体の側壁に突出した締結端部どうしの重合部に挿通する軸部に、上記重合部のいずれかの締結端部に係止しうる係止突起を突設してなるために、施工作業中等にその頭部に何かを引掛けたり、上記締結端部及びブロック連結具が位置する合端空所へ充填される合端コンクリートにより持ち上げられる等、不測の外力が加わっても、軸部の係止突起が締結端部に係止、係合して引き抜き抵抗を付与し、ブロック連結具が上記重合部から容易に抜けることなく、締結端部どうし、即ち互いに隣接するブロック本体を確実且つ安定状態で連結する。
【発明を実施するための最良の形態】
【０００６】  以下、図面を参照しながら本発明の実施の形態について説明する。
図１は護岸用大型ブロックの一例を示し、１は大型ブロックであって、隅切方形板状のブロック本体２内に、所定形状の締結用鉄筋が配筋され、該締結用鉄筋のほぼＶ形状の吊杆状をなす各締結端部７ａがブロック本体２の各隅切状の隅部側壁２ｃから外方に突出され、各締結端部７ａが大型ブロック１の敷設時に互いに隣接するブロック本体２の連結部位となされる。
尚、上記ブロック本体２の表面には、その縁部２ａとの間に表面部２ｂを額縁状に残置して凹部３が設けられ、該凹部３を左右に分割する真直ぐなリブ４が、相対して凹部３を形成する上側内壁３ｂと下側内壁３ｃにわたって突設され、図１（ロ）に示す如く、ブロック本体２の上下左右の側壁２ｄには、各隅切部の両側に位置する凸部２ｅが設けられるとともに、各凸部２ｅ間に側壁２ｄの長さ方向に沿う凹溝２ｆが設けられている。【０００７】  しかして、上記大型ブロック１は、例えば図４に示す如く、法面Ｇに敷設される際、互いに隣接する大型ブロック１のブロック本体２の側壁２ｄに設けた凸部２ｅどうしが当接されてブロック本体２間に合端空所１０が形成されるとともに、上記当接する凸部２ｅと隅切状の隅部側壁２ｃによって囲まれた矩形をなす合端空所１０内において、図５（イ）乃至（ハ）に示す如く、隅部側壁２ｃに突出した各締結端部７ａが重ね合わされ、その重合部にＴ形状をなす本発明のブロック連結具２６が各締結端部７ａを貫通して挿通されることにより連結され、上記各合端空所１０に合端コンクリート９が充填されて連結一体化される。【０００８】  上記ブロック連結具２６は、図５（ニ）乃至（ヘ）に示す如く、頭部２６ａと軸部２６ｂからなるほぼＴ形状をなし、軸部２６ｂの一側部に頭部２６ａから所定間隔をおいて係止突起２６ｃを突設してなり、使用に際してその頭部２６ａを把持して軸部２６ｂを上記重合部に挿通するものであって、挿通後は頭部２６ａが最上部の締結端部７ａ上部に当接し万一、軸部２６ｂが上記重合部から抜け出ようとしても、係止突起２６ｃが上から２番目に位置する締結端部７ａの下部に係止、係合してその上動を抑制し、締結端部７ａどうしを確実且つ安定的に連結できるものである。【０００９】  尚、該ブロック連結具２６は、上記図５（ニ）乃至（ヘ）に示すものに限定されず、上記板片状の他、棒状体や板状体等により形成されてもよく、例えて図５（ト）の如く係止突起２６ｃを上記板片状の軸部２６ｂの両側部に突設させて形成する他、棒状となされた軸部２６ｂの外周に連続又は分断した条として適宜数突設されてもよい。又、係止突起２６ｃの形状もとくに限定されないが、軸部２６ｂの先端側に向かってその突出度合いが漸次小さくなされていると、軸部２６ｂを上記重合部に挿通しやすく且つ抜けにくく好ましい。更に、係止突起２６ｃの突設位置は、軸部２６ｂを上記重合部に挿通した際に、最下部の締結端部７ａ下部に係止しうる位置が好ましいが、これよりも軸部２６ｂの根元側でいずれかの締結端部７ａ下部に係止できればよい。【００１０】  尚又、図２は上記図１に示す大型ブロック１と同様でそのリブ４にブロック本体２を貫通する水抜き孔５を設けてなる大型ブロック１、図３は上記図１に示す大型ブロック１と同様でその縦長さをほぼ半分にした大型ブロック１ａ、図６はリブ無しの縦長状大型ブロック１ｂを夫々示し、図４において図１に示す大型ブロック１と共に敷設されている。【００１１】  又、図７（イ）に示す如く、護岸用大型ブロック１Ａ（図１に示す大型ブロック１の横長さをほぼ２倍にしてブロック本体２の表面を恰も上記大型ブロック１を２個左右に並設した如くなす）を法面にレン��積み状に配列して敷設した際には、図７（ロ）に示すように、互いに隣接するブロック本体２の側壁２ｄに設けた凸部２ｅどうしが当接されて該凸部２ｅと隅部側壁２ｃ、側壁２ｄによって囲まれた略三角形をなす合端空所１０内において、隅部側壁２ｃと側壁２ｄに突出した締結端部７ａどうしを重ね合わせ、該重合部に上記ブロック連結具２６の軸部２６ｂを挿通して連結することができる。
さらに、大型ブロック１Ａを格子積み状の配列にして敷設した場合には、互いに隣接するブロック本体２の各側壁２ｄから突出する締結端部７ａどうしを相当接する凸部２ｅと側壁２ｄによって囲まれた合端空所１０内（図７（ハ））で重ね合わせ、上記ブロック連結具２６によって連結することができる。【００１２】  尚、上記実施の形態においては、ブロック本体２の形状は隅切方形となされているが、例えば方形、隅丸方形、多角形、円形等適宜形状であってもよく、その他表面が平坦や凸状、凹凸状に形成される等、その形状、構造等は特に限定するものではない。尚又、ブロック本体２に配筋した締結用鉄筋の形状、ブロック本体２の隅部側壁２ｃや外周壁をなす側壁２ｄから突出する締結端部７ａの形状も適宜形状であればよいし、締結用鉄筋から締結端部７ａが分離されて個別に併設されてもよい。
【図面の簡単な説明】
【００１３】
【図１】  護岸用大型ブロックの一例を示し、（イ）は正面図、（ロ）は平面図、（ハ）は（ロ）のＡ−Ａ断面図、（ニ）は（ロ）のＢ−Ｂ断面図。
【図２】  護岸用大型ブロックの他の例を示し、（イ）は平面図、（ロ）は（イ）のＤ−Ｄ断面図。
【図３】  護岸用大型ブロックの他の例を示し、（イ）は正面図、（ロ）は平面図、（ハ）は側面図、（ニ）は（ロ）のＥ−Ｅ断面図、（ホ）は（ロ）のＦ−Ｆ断面図。
【図４】  護岸用大型ブロックによって形成された護岸面の例を示し、（イ）の斜め左上部は空積み時の展開図、斜め右下部は練積み時の展開図、（ロ）は（イ）のＧ−Ｇ断面図。
【図５】  （イ）は本発明のブロック連結具使用時の図４（イ）のｂ部拡大図、（ロ）は（イ）のＹ−Ｙ断面図、（ハ）は（ロ）のｄ部拡大図、（ニ）は本発明のブロック連結具の一実施の形態を示す正面図、（ホ）は同平面図、（ヘ）は同側面図、（ト）はブロック連結具の他の例を示す正面図。
【図６】  護岸用大型ブロックの他の例を示し、（イ）は正面図、（ロ）は平面図、（ハ）は側面図、（ニ）は（ロ）のＲ−Ｒ断面図、（ホ）は（ロ）のＳ−Ｓ断面図。
【図７】  護岸用大型ブロックによって形成された護岸面の他の例を示し、（イ）の左区分部は空積み時の展開図、右区分部は練積み時の展開図、（ロ）は（イ）のｅ部拡大図、（ハ）は他の連結部を示す拡大図。
【符号の説明】
【００１４】  １，１ａ，１Ａ，１ｂ  大型ブロック
２  ブロック本体
２ｃ  隅部側壁
７ａ  締結端部
１０  合端空所
２６  ブロック連結具
２６ａ  頭部
２６ｂ  軸部
２６ｃ  係止突起
【図１】
2005240550.tif 000003
【図２】
2005240550.tif 000004
【図３】
2005240550.tif 000005
【図４】
2005240550.tif 000006
【図５】
2005240550.tif 000007
【図６】
2005240550.tif 000008
【図７】
2005240550.tif 000009